(57)【要約】【課題】  シャワーフェイスの先端寄りの散水孔からの散水も他の部位の散水孔からの散水と同様に、水勢を損なわないようにして、シャワーフェイス全体から水勢の均一な散水を得ることができる快適なシャワーヘッドを提供すること。【解決手段】  散水孔７６全体が細長状に配置されたシャワーフェイス７０を有するとともに、内部に湯水を流通させるパイプ３０を備えたシャワーヘッド１において、シャワーフェイス７０の裏側に配置されパイプ３０に連通する開口部６０を、散水孔７６全体の長手方向にその長手方向を一致させた細長状に形成した。    【選択図】    図２
2007307468.tif 000002
【特許請求の範囲】
【請求項１】
散水孔全体が細長状に配置されたシャワーフェイスを有するとともに、内部に湯水を流通させる内部流路部材を備えたシャワーヘッドにおいて、前記シャワーフェイスの裏側に配置され前記内部流路部材に連通する開口部が、散水孔全体の長手方向にその長手方向を一致させた細長状に形成されていることを特徴とするシャワーヘッド。
【請求項２】
前記開口部内の先端寄りの部位に、前記開口部の後方の部位を遮るように形成された隔壁を設けたことを特徴とする請求項１に記載のシャワーヘッド。
【発明の詳細な説明】
【技術分野】
【０００１】
本発明は、シャワー装置に備えられるシャワーヘッドに関する。
【背景技術】
【０００２】
近年、シャワーヘッドのデザインニーズは多様化しており、これに伴って、図９に示すように、シャワーフェイス１０１の平面視形状（及びシャワーフェイス１０１に開設される多数の散水孔１０２の分布位置）も多様化している。具体的には、従来はほぼ真円形状のものが多かったのであるが、シャワーヘッド先端に向かって細長の矩形形状や、同じく細長の長円形状・楕円形状のものなども用いられるようになっている。ところで従来、このような矩形形状や長円形状など、細長のシャワーフェイス１０１を備えたシャワーヘッドであっても、シャワーフェイス１０１裏側に湯水を供給するためにシャワーフェイス１０１裏側に開設された開口部１０４は、その平面視形状がほぼ真円形状であったり、あるいは、シャワーフェイスの先端側まで十分に延設されず正方形に近いような形状のものであった（例えば、特許文献１参照。）。
【０００３】
【特許文献１】特表２０００−５１３９８７号公報（図８）
【発明の開示】
【発明が解決しようとする課題】
【０００４】
上記したようなシャワーヘッドでは、細長に形成されたシャワーフェイス１０１の先端寄りの散水孔１０２には十分な量・水圧の湯水を供給することが困難であり、このようなシャワーフェイス１０１の先端寄りの散水孔１０２からの散水の勢いが落ち、シャワーフェイス全体から均一の散水を吐出できないと言う問題を生じていた。
【０００５】
本発明は上記した従来のシャワーヘッドの問題点を解消するものであり、シャワーフェイスの先端寄りの散水孔からの散水も他の部位の散水孔からの散水と同様に、水勢を損なわないようにして、シャワーフェイス全体から水勢の均一な散水を得ることができる快適なシャワーヘッドを提供することを目的とする。
【課題を解決するための手段】
【０００６】
以上の課題を解決するために本発明の採った手段を以下に説明する。本発明のシャワーヘッドは「散水孔全体が細長状に配置されたシャワーフェイスを有するとともに、内部に湯水を流通させる内部流路部材を備えたシャワーヘッドにおいて、前記シャワーフェイスの裏側に配置され前記内部流路部材に連通する開口部が、散水孔全体の長手方向にその長手方向を一致させた細長状に形成されていることを特徴とするシャワーヘッド。」（請求項１）である。
【０００７】
シャワーフェイス裏側に配設される開口部が、散水孔全体の配置に沿わせて細長状に形成されているので、散水孔全体の先端付近の部位においても十分な量・水圧の湯水が供給される。よって、このような部位における散水孔からの散水の水勢は、他の部位（例えば、散水孔全体の基端寄りの部位）からの散水と同様に、十分な水勢を得ることができる。
【０００８】
本発明において、開口部の形状は、矩形形状、楕円形状、長円形状など、散水孔全体の配置形状に合わせた細長に形成されていればよい。
【０００９】
また、上記したシャワーヘッドにおいて、前記開口部内の先端寄りの部位に、前記開口部の後方の部位を遮るように形成された隔壁を設けることとしても良い（請求項２）。
【００１０】
このような「隔壁」を設けることにより、開口部内の特に先端付近の湯水の封水性を向上させることができる。よって、散水孔からの散水を止めたときに起こる水垂れを抑制することができる。
【発明の効果】
【００１１】
本発明はシャワーヘッドの開口部が上記のように散水孔全体の配置形状に合わせて細長状に形成されているので、各散水孔からの水勢を均一にすることができ、使用者に快適なシャワー散水を提供することができるシャワーヘッドとすることができる。
【発明を実施するための最良の形態】
【００１２】
次に、本発明のシャワーヘッドの実施の形態を図を参考にして説明する。図１に示すように、本発明のシャワーヘッド１には、シャワーフェイスカバー８０と、シャワーフェイス７０と、インナー５０と、シャワーヘッド１の本体２とが備えられている。また、本体２の把持部３内には、本体２のヘッド部４方向に湯水を供給するためのパイプ３０と、このパイプ３０を把持部３基端側内に収容固定するジョイント１０が備えられている。そしてこのジョイント１０の基端部には、図示しないシャワーホースが接続されて、シャワーヘッド１に湯水が供給される。
【００１３】
シャワーヘッド１全体は、図５にも示すように、ヘッド部４がやや屈曲形成された縦長の有底筒状に形成されており、その断面が長円形状に形成されて全体として扁平な形状に形成されている。
【００１４】
ジョイント１０は、断面が長円形状の円筒状に形成されており、シャワーヘッド１の本体２の把持部３内に摺接嵌合する形状に形成され、把持部３内に収容保持可能に設けられている。ジョイント１０の基端側にはジョイント１０の本体外径よりも小径に形成された周溝１２が設けられている。また、先端側の端部には、後述するパイプ３０の突条４０が嵌合する凹部１３が設けられている。凹部１３は、ジョイント１０の断面短手方向の対向する位置に二つ、それぞれジョイント１０の軸心方向に沿って凹設されている。
【００１５】
また、周溝１２が設けられた部位よりもやや先端側のジョイント１０内部には、パイプ３０の基端部３２が挿嵌接続可能に設けられた接続口１４が形成されている。接続口１４の奥側内周面には内方向に突設された突起１６が設けられており、パイプ３０が接続口１４に挿嵌接続される際には、パイプ３０基端側の端面がこの突起１６に係止されることにより、接続口１４内におけるパイプ３０の位置決めがなされる。また、周溝１２よりも基端側のジョイント１０の外周面には、係止突起１７が突設されており、ジョイント１０が把持部３内に挿嵌される際に、係止突起１６が把持部３基端側の段部８に係止されることにより、ジョイント１０の把持部３に対する位置決めがなされる。また、ジョイント１０の基端側には、図示しないシャワーホースの接続金具が固定可能に設けられた接続口１８が設けられている。
【００１６】
パイプ３０は、本発明に言う「内部流路部材」の一例であり、先端がやや屈曲形成された筒状に形成されており、基端外周面には、前述したジョイント１０の接続口１４との水密を図るシール部材３３が、先端外周面には、後述するインナー５０の接続部５２との水密を図るシール部材３３がそれぞれ取り付けられている。また、屈曲部３４の基端外周面には、屈曲部３４が挿嵌接続される接続部５２に対して位置決めを行うために接続部５２端面に当接可能な突条３６が周設されている。また、パイプ３０のストレート部３８のほぼ中央付近外周面の上下には、前述したジョイント１０の凹部１３と嵌合する突条４０が、ストレート部３８の軸心方向に沿ってそれぞれ突設されている。
【００１７】
このように構成されたジョイント１０及びパイプ３０は、前述したように、パイプ３０の基端部３２がジョイント１０の接続口１４に挿嵌接続されるとともに、突条４０が凹部１３に嵌合されることによりジョイント１０に対するパイプ３０の軸心周り方向の位置決めがなされつつ、パイプ３０とジョイント１０が固定される。また、このようにして固定されたパイプ３０とジョイント１０は、パイプ３０先端側よりシャワーヘッド１の把持部３基端側の開口部７から把持部３内に挿嵌される。ジョイント１０は、開口部７奥側に収容保持されるが、この際に、把持部３の取付孔５よりブッシュ１１が周溝１２に嵌合取り付けされて、把持部３に対するジョイント１０の抜け止めを行う。  
【００１８】
また、シャワーヘッド１の本体２の先端側のヘッド部４は、把持部３に対して若干屈曲形成されているが、このヘッド部４の屈曲形成された部位の内側面には、インナー５０などが収容される収容室６が開口されている。次いで、この収容室６に収容されるインナー５０などについて説明する。
【００１９】
図２に示すように、インナー５０は、横断面がほぼ長円形状の円筒状の全体形状に形成されており、その下面には、前述したパイプ３０の先端側が挿嵌接続される接続部５２が突設されている。また、接続部５２寄りのインナー５０の軸心周り外周面には、インナー５０に被せられるシャワーフェイス７０との水密を図るためのシール部材５４が装着されている。
【００２０】
また、インナー５０の側面には、ストレーナ５６を取付固定するために僅かに凹設された矩形状の凹部５８が形成されている。そして、この凹部５８の中央付近に開口部６０が開設されている。開口部６０は、インナー５０外側に向けて、縦長のほぼ矩形形状に開設されており、幅約１３ｍｍ、長さ約４０．９ｍｍに形成されている。また、この開口部６０は、図３及び図４に示すように、パイプ３０が接続される接続部５２と、インナー５０内の中央部に円筒状に形成された流入室６２にて連通されている。
【００２１】
また、図３に示すように、流入室６２の開口部６０寄りの上端面からは、開口部６０に向き合うように約１０ｍｍ垂下された隔壁６４が突設されている。隔壁６４は、開口部６０の上方寄りの後方の部位を遮るように形成されており、開口部６０内の先端付近の湯水の封水性を向上させることができ、散水孔７６からの散水を止めたときに起こる水垂れを抑制している。
【００２２】
次いで、シャワーフェイス７０について説明する。シャワーフェイス７０は、横断面がほぼ長円形状の円筒状の全体形状に形成されており、内部にインナー５０を収容保持可能に、インナー５０が底部開口部７２から挿嵌可能な有底円筒状に形成されている。シャワーフェイス７０の正面側には、幅約３１．６ｍｍ、長さ約５１．６ｍｍの長円形状のフェイス部７４が正面側に突設されている。このフェイス部７４には６５個の散水孔７６がほぼ均一に配設されており、散水孔７６全体も細長のほぼ長円形状に配設されている。また、このフェイス部７４を挟んだシャワーフェイス７０の本体の左右には、上下にそれぞれ、後述するシャワーフェイスカバー８０の係止孔８２に係止する係止突起７８が設けられている。そして、ストレーナ５６を取り付けられたインナー５０がシャワーフェイス７０に挿嵌され、これらが一体となったものが、ヘッド部４の開口部７から収容室６内へ収容されつつ、インナー５０の接続部５２内にパイプ３０の先端部が挿嵌接続される。
【００２３】
次いで、シャワーフェイスカバー８０について説明する。シャワーフェイスカバー８０は、横断面がほぼ長円形状の円筒を縦方向に半割した全体形状に形成されており、前述したシャワーフェイス７０のフェイス部７４側に被覆可能な形状に設けられている。シャワーフェイスカバー８０の正面側中央には、フェイス部７４が嵌合かつ露呈可能に開設された長円形状の開口部８４が形成されている。
【００２４】
また、シャワーフェイスカバー８０の左右側部には、上下にそれぞれ、前述したシャワーフェイス７０の係止突起７８が係止される係止孔８２が設けられている。また、図１にも示すように、シャワーフェイスカバー８０の上端面からシャワーフェイスカバー８０後方に向かって舌片８６が突設されており、この舌片８６に、シャワーヘッド１の収容室６の開口部７付近の上部壁面から突設される係止突起９が係止される係止孔８８が開設されている。また、シャワーフェイスカバー８０の下端内側には、収容室６の開口部７下部に係止される係止突起９０が二つ突設されている。シャワーフェイスカバー８０は、係止孔８２がシャワーフェイス７０に係止され、係止孔８８及び係止突起９０がヘッド部４に係止されることにより、シャワーヘッド１に固定されている。
【００２５】
このように構成されたシャワーヘッド１では、シャワーフェイス７０のフェイス部７４、より正確に言えば、フェイス部７４に配設された各散水孔７６の配置に合わせて、フェイス部７４に湯水を吐出するインナー５０の開口部６０の形状が細長の矩形形状に形成されているので、フェイス部７４の先端側にも十分な湯水が供給される。よって、図５に示すように、フェイス部７４の先端側の散水孔７６も含めて、フェイス部７４の各散水孔７６からは十分な水勢の散水を得ることができる。また、隔壁６４により圧力損失を低減し、フェイス部７４の先端側の水勢をより確実に得ることができる。    
【００２６】
本発明は上記した実施の形態に限られるものではなく、本発明の趣旨の範囲内で種々の変更が可能である。例えば、インナー５０の開口部６０の形状は矩形形状に限られず、図６に示すように、細長の楕円形状に形成することとしても良い。また、図７に示すように、細長の長円形状としても良い。また、図８に示すように、上下に長い鼓状に設けることとしても良い。
【図面の簡単な説明】
【００２７】
【図１】本発明のシャワーヘッドの縦断面図である。
【図２】シャワーフェイスカバー、シャワーフェイス、ストレーナー及びインナーの分解斜視図である。
【図３】インナーの側面視縦断面図である。
【図４】インナーの正面視縦断面図である。
【図５】散水状態を示すシャワーヘッドの一部斜視図である。
【図６】別のインナーの正面図である。
【図７】さらに別のインナーの正面図である。
【図８】さらに別のインナーの正面図である。
【図９】従来のシャワーヘッドの構成部品の一部の分解斜視図である。
【符号の説明】
【００２８】
１；シャワーヘッド、２；本体、３；把持部、４；ヘッド部、５；取付孔、６；収容室、７；開口部、８；段部、９；係止突起、１０；ジョイント、１１；ブッシュ、１２；周溝、１３；凹部、１４；接続口、１６；突起、１７；係止突起、１８；接続口、３０；パイプ、３２；基端部、３３；シール部材、３４；屈曲部、３６；突条、３８；ストレート部、４０；突条、５０；インナー、５２；接続部、５４；シール部材、５６；ストレーナ、５８；凹部、６０；開口部、６２；流入室、６４；隔壁、７０；シャワーフェイス、７２；底部開口部、７４；フェイス部、７６；散水孔、７８；係止突起、８０；シャワーフェイスカバー、８２；係止孔、８４；開口部、８６；舌片、８８；係止孔、９０；係止突起。
【図１】
2007307468.tif 000003
【図２】
2007307468.tif 000004
【図３】
2007307468.tif 000005
【図４】
2007307468.tif 000006
【図５】
2007307468.tif 000007
【図６】
2007307468.tif 000008
【図７】
2007307468.tif 000009
【図８】
2007307468.tif 000010
【図９】
2007307468.tif 000011